(57)【要約】【課題】発熱による不快感をユーザに感じさせず利便性を向上させる技術を提供する。【解決手段】無線通信端末１０は、無線通信端末１０の基板に設置され、基板の動作温度を測定する温度センサ５１と、無線通信端末１０の傾きを検出する姿勢監視部８１とを含む。無線通信端末１０は、ユーザの操作領域に基づく無線通信端末１０の所定部分の発熱温度を、傾向データ７１と、検出される傾きと、温度センサ５１の測定結果とに基づいて算出し、算出される発熱温度と所定温度とを比較する。制御部８０は、比較結果に基づいて、無線通信端末１０の持ち替えをユーザに促すための通知処理を制御し、ユーザに対し無線通信端末１０の持ち替えを促す警告文を表示部６０に表示させる等の処理を行う。【選択図】図２
2014050013.tif 000002
【特許請求の範囲】
【請求項１】
無線通信端末であって、
前記無線通信端末の基板の動作温度を測定する１以上の温度センサと、
前記無線通信端末の傾きを検出する姿勢監視部と、
前記検出される傾きに応じて定まる前記無線通信端末の筺体の一部分の温度を、前記検出される傾きと前記温度センサの測定結果とに基づいて算出する算出部と、
前記算出される温度と所定温度とを比較し、比較結果に基づいて、無線通信端末の持ち替えをユーザに促すための通知処理を行う制御部とを含む、
無線通信端末。
【請求項２】
前記算出部は、
前記検出される傾きに対しユーザが無線通信端末を持ち替えた場合の傾きと、前記温度センサの測定結果とに基づいて前記温度を算出し、
前記制御部は、
前記算出される温度が前記所定温度を超えない場合に、無線通信端末の持ち替えをユーザに促す通知処理を実行する、
請求項１記載の無線通信端末。
【請求項３】
前記算出部は、
前記一部分の温度を示す第１の温度と、ユーザが無線通信端末を持ち替えた場合の傾きにおいてユーザが前記無線通信端末に接触する一部分の温度を示す第２の温度とを前記算出し、
前記制御部は、
前記算出される第１の温度が第１の所定温度を超え、前記第２の温度が第２の所定温度を超えない場合に、無線通信端末の持ち替えをユーザに促す通知処理を実行する、
請求項１記載の無線通信端末。
【請求項４】
前記無線通信端末は、さらに、
前記無線通信端末の１以上の傾きと、前記温度センサの測定結果を補正するための補正値とを対応づけた傾向データを記憶するための記憶部を含み、
前記算出部は、
前記傾向データに基づいて、前記検出される傾きに対応する補正値を読み出し、読み出した補正値を用いて前記温度センサの測定結果を補正することで前記温度を算出する、
請求項１記載の無線通信端末。
【請求項５】
前記記憶部が記憶する前記傾向データは、前記無線通信端末の動作モードに応じて前記補正値が対応づけられており、
前記算出部は、
前記無線通信端末の動作モードと、前記検出される傾きとに対応する補正値を前記傾向データから読み出し、読み出した補正値を用いて前記温度を算出する、
請求項４記載の無線通信端末。
【請求項６】
前記制御部は、
ユーザが前記無線通信端末を操作時に無線通信端末の発熱を知覚するか否かの境界の温度と、前記算出される温度とを比較し、
前記温度が前記境界の温度を超えない場合は、前記無線通信端末の持ち替えをユーザに促す処理を実行せず、前記温度が前記境界の温度を超える場合に、前記無線通信端末の持ち替えをユーザに促す処理を実行する、
請求項１記載の無線通信端末。
【請求項７】
前記無線通信端末は、ディスプレイをさらに含み、
前記制御部は、
前記無線通信端末の持ち替えをユーザに促すための通知処理を、前記無線通信端末の持ち替えを促すメッセージを前記ディスプレイに表示することで実行する、
請求項１記載の無線通信端末。
【請求項８】
前記無線通信端末は、ディスプレイをさらに含み、
前記制御部は、
前記無線通信端末の持ち替えをユーザに促すための通知処理を、前記ディスプレイの表示内容を所定角度回転させることで実行する、
請求項１記載の無線通信端末。
【請求項９】
無線通信端末の通知処理を制御する方法であって、
前記無線通信端末は、基板の動作温度を測定する１以上の温度センサを備え、
前記方法は、
前記無線通信端末が、前記無線通信端末の傾きを検出するステップと、
前記無線通信端末が、前記検出される傾きに応じて定まる前記無線通信端末の筺体の一部分の温度を、前記検出される傾きと前記温度センサの測定結果とに基づいて算出するステップと、
前記無線通信端末が、前記算出される温度と所定温度とを比較し、比較結果に基づいて、無線通信端末の持ち替えをユーザに促すための通知処理を行うステップとを含む、
方法。
【請求項１０】
無線通信端末の通知処理を制御するためのプログラムであって、
前記無線通信端末は、基板の動作温度を測定する１以上の温度センサと、プロセッサと、メモリとを備え、
前記プログラムは、前記プロセッサに、
前記無線通信端末の傾きを検出するステップと、
前記検出される傾きに応じて定まる前記無線通信端末の筺体の一部分の温度を、前記検出される傾きと前記温度センサの測定結果とに基づいて算出するステップと、
前記算出される温度と所定温度とを比較し、比較結果に基づいて、無線通信端末の持ち替えをユーザに促すための通知処理を行うステップとを実行させる、
プログラム。
【発明の詳細な説明】
【技術分野】
【０００１】
本発明は、無線通信端末に関し、特に、ユーザの利便性を向上させるための技術に関する。
【背景技術】
【０００２】
スマートフォンなどの無線通信端末は、様々なアプリケーションが動作することで高機能化が進んでいる。ユーザは、これらアプリケーションを利用することで、無線通信端末の各種機能を発揮させる。無線通信端末は、プロセッサや通信モジュールなどの各回路を動作させることで各種機能を発揮する。これら回路等の動作に伴い、各回路に電流が流れること等によって無線通信端末の動作温度が上昇する。
【０００３】
無線通信端末の動作温度が上昇すると、動作が不安定になるなどユーザの利便性が低下する。そこで、無線通信端末の温度の上昇を軽減するため、従来の無線通信端末は、無線通信端末の動作時の性能を低下させることで消費電流を低下させている。これにより無線通信端末の発熱を抑止する。例えば、無線通信端末が一定温度まで上昇した場合、無線通信端末は、充電動作を停止させる、バックライトの輝度を低下させる、プロセッサの動作クロックを低下させる、等によって無線通信端末の動作を制限する。
【０００４】
このように無線通信端末の状況の変化に対処することでユーザの利便性を高めるための様々な技術が知られている。例えば、無線通信端末の高温化に対処するため、無線通信端末の放熱性能を高める技術として、特開２００５−２２３５６１号公報（特許文献１）は、スライド式の携帯端末装置の熱の蓄積を低減するため、スライド動作に連動して放熱部材を外部に露出させる技術を開示している。また、無線通信端末の状況の変化をユーザに通知するため、例えば、特開２００７−１３５００８号公報（特許文献２）は、温度センサなどの各種センサの出力に基づいて携帯電話機の状況を判断し、状況に対応する動作を行う技術を開示している。
【先行技術文献】
【特許文献】
【０００５】
【特許文献１】特開２００５−２２３５６１号公報
【特許文献２】特開２００７−１３５００８号公報
【発明の概要】
【発明が解決しようとする課題】
【０００６】
また、無線通信端末が高温になると、ユーザが無線通信端末の発熱を感じて無線通信端末使用時のユーザの不快感が増すおそれがある。しかし、無線通信端末の機能を制限して発熱を抑える技術の場合、無線通信端末の機能が低下するためユーザの利便性が損なわれるおそれがある。
【０００７】
したがって、無線通信端末が各種機能を発揮する等によって高温化したとしても、発熱による不快感をユーザに感じさせずユーザの利便性を向上させる技術が必要とされている。
【課題を解決するための手段】
【０００８】
一実施形態に従う無線通信端末は、無線通信端末の基板の動作温度を測定する１以上の温度センサと、無線通信端末の傾きを検出する姿勢監視部と、検出される傾きに応じて定まる無線通信端末の筺体の一部分の温度を、検出される傾きと温度センサの測定結果とに基づいて算出する算出部と、算出される温度と所定温度とを比較し、比較結果に基づいて、無線通信端末の持ち替えをユーザに促すための通知処理を行う制御部とを含む。
【０００９】
好ましくは、算出部は、検出される傾きに対しユーザが無線通信端末を持ち替えた場合の傾きと、温度センサの測定結果とに基づいて温度を算出し、制御部は、算出される温度が所定温度を超えない場合に、無線通信端末の持ち替えをユーザに促す通知処理を実行することとしてもよい。
【００１０】
好ましくは、算出部は、一部分の温度を示す第１の温度と、ユーザが無線通信端末を持ち替えた場合の傾きにおいてユーザが無線通信端末に接触する一部分の温度を示す第２の温度とを算出し、制御部は、算出される第１の温度が第１の所定温度を超え、第２の温度が第２の所定温度を超えない場合に、無線通信端末の持ち替えをユーザに促す通知処理を実行することとしてもよい。
【００１１】
好ましくは、無線通信端末は、さらに、無線通信端末の１以上の傾きと、温度センサの測定結果を補正するための補正値とを対応づけた傾向データを記憶するための記憶部を含み、算出部は、傾向データに基づいて、検出される傾きに対応する補正値を読み出し、読み出した補正値を用いて温度センサの測定結果を補正することで温度を算出することとしてもよい。
【００１２】
好ましくは、記憶部が記憶する傾向データは、無線通信端末の動作モードに応じて補正値が対応づけられており、算出部は、無線通信端末の動作モードと、検出される傾きとに対応する補正値を傾向データから読み出し、読み出した補正値を用いて温度を算出することとしてもよい。
【００１３】
好ましくは、制御部は、ユーザが無線通信端末を操作時に無線通信端末の発熱を知覚するか否かの境界の温度と、算出される温度とを比較し、温度が境界の温度を超えない場合は、無線通信端末の持ち替えをユーザに促す処理を実行せず、温度が境界の温度を超える場合に、無線通信端末の持ち替えをユーザに促す処理を実行することとしてもよい。
【００１４】
好ましくは、無線通信端末は、ディスプレイをさらに含み、制御部は、無線通信端末の持ち替えをユーザに促すための通知処理を、無線通信端末の持ち替えを促すメッセージをディスプレイに表示することで実行することとしてもよい。
【００１５】
好ましくは、無線通信端末は、ディスプレイをさらに含み、制御部は、無線通信端末の持ち替えをユーザに促すための通知処理を、ディスプレイの表示内容を所定角度回転させることで実行することとしてもよい。
【００１６】
別の実施形態に従うと、無線通信端末の通知処理を制御する方法が提供される。無線通信端末は、基板の動作温度を測定する１以上の温度センサを備える。この方法は、無線通信端末が、無線通信端末の傾きを検出するステップと、無線通信端末が、検出される傾きに応じて定まる無線通信端末の筺体の一部分の温度を、検出される傾きと温度センサの測定結果とに基づいて算出するステップと、無線通信端末が、算出される温度と所定温度とを比較し、比較結果に基づいて、無線通信端末の持ち替えをユーザに促すための通知処理を行うステップとを含む。
【００１７】
別の実施形態に従うと、無線通信端末の通知処理を制御するためのプログラムが提供される。無線通信端末は、基板の動作温度を測定する１以上の温度センサと、プロセッサと、メモリとを備える。プログラムは、プロセッサに、無線通信端末の傾きを検出するステップと、検出される傾きに応じて定まる無線通信端末の筺体の一部分の温度を、検出される傾きと温度センサの測定結果とに基づいて算出するステップと、算出される温度と所定温度とを比較し、比較結果に基づいて、無線通信端末の持ち替えをユーザに促すための通知処理を行うステップとを実行させる。
【発明の効果】
【００１８】
上記一実施形態によると、ユーザの利便性を向上させることができる。
この発明の上記および他の目的、特徴、局面および利点は、添付の図面と関連して理解されるこの発明に関する次の詳細な説明から明らかとなるであろう。
【図面の簡単な説明】
【００１９】
【図１】無線通信端末１０の外観と、ユーザによる操作時の無線通信端末１０の姿勢を示す図である。
【図２】無線通信端末１０の構成を示す機能ブロック図である。
【図３】傾向データ７１を示す図である。
【図４】無線通信端末１０の動作を示すフローチャートである。
【図５】温度の上昇をユーザに警告するための注意文の表示例を示す図である。
【発明を実施するための形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
＜１．１  無線通信端末１０の外観＞
図１は、無線通信端末１０の外観と、ユーザによる操作時の無線通信端末１０の姿勢を示す図である。無線通信端末１０は、長方形の形状の表示部６０（タッチパネルディスプレイ）を備えており、静止画像、動画像、テキスト、ウェブサイトなどをディスプレイに表示する。ユーザは、指をタッチパネルに触れることによって、無線通信端末１０を操作する。
【００２２】
また、無線通信端末１０は、加速度センサ、ジャイロセンサ等を有しており、これらセンサによって傾きを検出してユーザの閲覧に適するようにディスプレイの表示内容を切り替える。例えば、ユーザは、ディスプレイを縦長または横長の状態にして無線通信端末１０を使用することができる。
【００２３】
例えば、ユーザが無線通信端末１０でウェブサイトのテキストデータ等を閲覧する場合、ユーザは、テキストデータを読み進めるために、ディスプレイの表示内容を縦方向へスクロールさせる操作を行う。このスクロール操作は、例えば、ユーザがタッチパネルに対し縦方向にスライド操作をすることによって無線通信端末１０に入力される。そのため、ユーザは、無線通信端末１０のディスプレイを縦長の状態にしてウェブサイトを閲覧することがある。
【００２４】
また、例えば、ユーザは、アスペクト比が１６：９の横長の動画を無線通信端末１０によって再生する場合、無線通信端末１０のディスプレイを横長の状態にして動画を視聴する。なお、無線通信端末１０は、加速度センサの出力結果等に基づいて、ディスプレイの四辺のうちユーザにとって手前側となる辺を検出し、検出結果に従って、ユーザの閲覧に適するようディスプレイの表示内容を回転させて、ウェブサイトや動画などを表示する。
【００２５】
図１（Ａ）は、ユーザが、無線通信端末１０のディスプレイを縦長の状態にして無線通信端末１０を操作している場合の図である。図１（Ｂ）は、ユーザが、無線通信端末１０のディスプレイを横長の状態にして無線通信端末１０を操作している場合の図である。なお、図１（Ａ）および図１（Ｂ）は、無線通信端末１０を充電するために充電器と接続するための装着口４１を示している。
【００２６】
ユーザが無線通信端末１０を操作するために無線通信端末１０に手や指を触れやすい位置は、無線通信端末１０の傾きごとに異なる。図１（Ａ）に示すように、ユーザは、ディスプレイを縦長の状態にして操作することができる。無線通信端末１０のディスプレイが縦長の状態で使用される場合、ユーザは、無線通信端末１０の下側（手前側）に手や指を添えて無線通信端末１０を把持することが多い。図１（Ｂ）に示すように、ユーザは、ディスプレイを横長の状態にして操作することができる。ユーザが無線通信端末１０のディスプレイを横長の状態にして使用する場合、ユーザは、無線通信端末１０の上側（奥側）に手や指を添えて操作することが多い。このようにユーザが無線通信端末１０に手や指を添える部分の温度が上昇すると、ユーザは、無線通信端末１０の筺体を通じて温度を感じることとなる。その結果、ユーザは、無線通信端末１０を使用する上で、無線通信端末１０の筺体の高温化による不快感を感じるおそれがある。例えば、ユーザは、ディスプレイに対して背面となる筺体の一部分から高温を感じ、不快感を感じるおそれがある。
【００２７】
＜１．２  無線通信端末１０の構成＞
次に、図２を用いて無線通信端末１０の具体的な構成を説明する。図２は、無線通信端末１０の構成を示す機能ブロック図である。
【００２８】
図２に示すように、無線通信端末１０は、アンテナ１１と、無線ＲＦ部２０と、センサ部３０と、充電台検出部４０と、温度測定部５０と、表示部６０と、記憶部７０と、制御部８０と、を備える。
【００２９】
アンテナ１１は、無線通信端末１０が送信する信号を電波として放射する。また、アンテナ１１は、空間から電波を受信して受信信号を無線ＲＦ部２０へ出力する。
【００３０】
無線ＲＦ部２０は、アンテナ１１から出力される高周波信号を受信して、無線通信端末１０で処理できる周波数の信号へと変換する。また、無線ＲＦ部２０は、増幅器等を含み、無線通信端末１０が送信する信号を、アンテナ送信周波数へと変換する。
【００３１】
センサ部３０は、加速度センサ３１と、ジャイロセンサ３２などの各種センサを含んでおり、無線通信端末１０の傾きなど各種の状態を検出する。加速度センサ３１は、無線通信端末１０の加速度を計測し、ジャイロセンサ３２は、無線通信端末１０の角速度を計測する。センサ部３０は、これらセンサの検出結果を制御部８０へ出力する。
【００３２】
充電台検出部４０は、無線通信端末１０を充電するための充電台と無線通信端末１０とが接続されたか否かを検出する。充電台検出部４０は、装着口４１を含む。無線通信端末１０は、装着口４１と充電台とが接続し、充電台から電力が無線通信端末１０へ供給されることで充電される。充電台検出部４０は、装着口４１と充電台とが接続される状態を検出する機構（例えば、無線通信端末１０が充電台に接続されることで押下され、押下によって無線通信端末１０へ通電される部材）を備え、この機構によって無線通信端末１０と充電台との接続を検出する。なお、無線通信端末１０は、充電に使用される電源ケーブルを装着するための装着口を別に備えることとしてもよく、この場合、充電台を用いなくとも無線通信端末１０の充電をすることができる。
【００３３】
温度測定部５０は、複数の温度センサを含んでおり、無線通信端末１０の動作温度を測定する。図２の例では、温度センサ５１Ａ、温度センサ５１Ｂ（以下、温度センサ５１Ａ、温度センサ５１Ｂなど複数の温度センサを総称して「温度センサ５１」ということもある）の２つを示している。無線通信端末１０は、各種の機能を実現するためプロセッサ、メモリなど電子回路を複数含んでいる。これら電子回路が動作することで電流が流れ、熱が発生し、この熱によって無線通信端末１０の動作温度が上昇する。温度センサ５１は、それぞれ無線通信端末１０の基板上等に複数設置され、それぞれが動作温度を測定し、測定結果を制御部８０へ出力する。
【００３４】
表示部６０は、タッチパネルを備えたＬＣＤ（Liquid  Crystal  Display）などであり、制御部８０の制御に従って画像や映像などを表示する。表示部６０は、タッチパネルによってユーザの操作を受け付ける。
【００３５】
記憶部７０は、フラッシュメモリなどにより構成され、制御部８０の動作に使用する各種データやプログラムを記憶する。記憶部７０は、傾向データ７１を記憶する。傾向データ７１は、無線通信端末１０の傾きや動作モードに応じて、ユーザが無線通信端末１０と手や指を接触させる位置の温度上昇の傾向を示すデータである。詳しくは後述する。
【００３６】
制御部８０は、プロセッサなどにより構成され、記憶部７０に記憶されるプログラムに従って無線通信端末１０の動作を制御する。制御部８０は、姿勢監視部８１と、温度算出部８２と、表示制御部８３と、を含む。
【００３７】
姿勢監視部８１は、センサ部３０からの各種センサの出力結果と、充電台検出部４０の検出結果とを受け付けて、無線通信端末１０の傾きを検出し、無線通信端末１０のディスプレイが縦長の状態となっているか、ディスプレイが横長の状態となっているかを判定する。姿勢監視部８１は、無線通信端末１０が充電台と接続されているか否かの検出結果を充電台検出部４０から受け付けて、無線通信端末１０が充電台と接続されている場合は、無線通信端末１０の傾きを、ディスプレイが横長の状態となっていると判定する。
【００３８】
温度算出部８２は、無線通信端末１０の傾きと、傾向データ７１と、温度センサ５１の出力結果とに基づいて、ユーザが無線通信端末１０に手や指を触れる位置の温度を算出する。また、温度算出部８２は、仮にユーザが、ディスプレイの縦長または横長の状態を維持したまま無線通信端末１０を半回転させて持ち替えた場合にユーザが無線通信端末１０に手や指を触れる位置の温度を算出する。詳細は後述する。
【００３９】
表示制御部８３は、表示部６０による映像の表示を制御する。表示制御部８３は、表示すべき表示内容を示す映像データを生成するとともに、姿勢監視部８１の判定結果に基づいて、ユーザの閲覧に適するよう表示内容を回転させる。
【００４０】
＜２  データ＞
図３を用いて、無線通信端末１０が使用するデータを説明する。図３は、傾向データ７１を示す図である。傾向データ７１は、無線通信端末１０の動作内容および無線通信端末１０の姿勢に応じて、ユーザが無線通信端末１０と手や指を接触させる位置における温度を算出するためのセンサ部３０の出力結果の補正値を示している。
【００４１】
ユーザが無線通信端末１０と手や指を接触させる位置の傾向は、無線通信端末１０の傾きによって異なる。また、無線通信端末１０が発熱しやすい箇所は、動作に使用される電子回路の位置に応じて定まる。無線通信端末１０の動作時に主として使用される電子回路は、無線通信端末１０の動作内容によっても異なる。例えば、無線通信端末１０は、充電時には、電源回路を主として動作させ、通信時には通信用モジュール等を主として動作させる。温度センサ５１の温度測定結果は、無線通信端末１０の基板において、センサ設置箇所の周辺の温度を示している。そのため、無線通信端末１０は、ユーザが無線通信端末１０と手や指を接触させる位置の温度を算出するために、温度センサ５１による温度測定結果を、無線通信端末１０の姿勢と、無線通信端末１０の動作内容によって補正する。
【００４２】
傾向データ７１の１件のレコードは、動作モード７５と、端末姿勢７６と、補正値７７とによって構成される。
【００４３】
動作モード７５は、無線通信端末１０の動作内容を示す。制御部８０は、無線通信端末１０の動作内容を、実行中のアプリケーションの種類や、充電台検出部４０の検出結果に応じて判定する。例えば、無線通信端末１０の動作内容は、無線通信端末１０が充電中である「充電中」、無線通信端末１０が通信機能によって通信を実行中である「通信中」などである。
【００４４】
端末姿勢７６は、無線通信端末１０の傾きを示す。図３の例では、ユーザがディスプレイを縦長の状態にして使用している場合（図１（Ａ）の場合）を「縦長」、ユーザがディスプレイを横長の状態にして使用している場合（図１（Ｂ）の場合）を「横長」として示している。また、ディスプレイの四辺に対応して、ユーザにとって手前側となる辺は４通りあるため、端末姿勢７６は、それぞれ「第１の縦長」「第２の縦長」「第１の横長」「第２の横長」として無線通信端末１０の傾きを記憶する。
【００４５】
補正値７７は、温度センサ５１それぞれの出力結果に対する補正値、および、無線通信端末１０の動作内容に応じた補正値を示す。図３の例では、無線通信端末１０は、温度センサ５１として、サーミスタＡおよびサーミスタＢを含んでいる。無線通信端末１０は、これらサーミスタＡおよびサーミスタＢの出力結果それぞれに対し、補正値を補正値７７において記憶する。
【００４６】
図３の例において、特定位置温度Ｔは、端末姿勢７６に示される無線通信端末１０の傾きに基づいて、ユーザが無線通信端末１０と手や指を接触させやすい箇所の温度を示す。補正値７７の補正値「α」と補正値「β」とは、温度センサ５１それぞれの出力結果に対する補正値を示す（図３の例では、温度センサ５１として２つの温度センサを使用するものとしている）。補正値７７の補正値「Ｘ」は、無線通信端末１０の動作内容（動作モード７５）に応じた補正値を示す。無線通信端末１０は、補正値７７に示される補正値を用いて、温度センサ５１の温度測定の結果を補正することで、無線通信端末１０の傾きや動作モードに応じて、ユーザが手や指を接触させる位置における温度を測定することができる。
【００４７】
ここで、ユーザが手や指を接触させる位置の温度（特定位置温度Ｔ）は、以下の式のように、温度センサ５１の測定結果それぞれについて補正値を適用するとともに、無線通信端末１０の動作モードに応じた補正値を用いて制御部８０の温度算出部８２が算出する。以下の式は、温度センサ５１を２つ使用する場合の例である。
【００４８】
特定位置温度Ｔ  ＝  ＴＡ×α  ＋  ＴＢ×β  −  Ｘ
ここで、「ＴＡ」は、サーミスタＡが測定する測定温度の出力結果を示し、「ＴＢ」は、サーミスタＢが測定する測定温度の出力結果を示す。
【００４９】
＜３  動作＞
次に、図４を用いて無線通信端末１０の動作を説明する。図４は、無線通信端末１０の動作を示すフローチャートである。
【００５０】
ステップＳ１１において、制御部８０は、無線通信端末１０に備わるタイマー機能によって、所定時間が経過するまで待機する。制御部８０は、所定時間が経過したことをタイマー機能によって検知すると、ステップＳ１３の処理を実行する。この所定時間は、例えば、無線通信端末１０の動作温度の上昇速度に応じて予め設定され、例えば数分程度とする。
【００５１】
ステップＳ１３において、制御部８０は、複数の温度センサ５１が測定する測定温度（出力結果）を受け付けて、温度センサ５１のいずれかの出力結果が所定温度以上であるか否かを判定し、所定温度以上でない場合（ステップＳ１３：ＮＯ）、ステップＳ１１の処理を実行する。制御部８０は、温度センサ５１のいずれかの出力結果が所定温度以上であると判定すると（ステップＳ１３：ＹＥＳ）、ステップＳ１５の処理を実行する。無線通信端末１０は、ステップＳ１５以降の処理によって、ユーザが手や指を接触させている位置の温度を算出し、算出結果に応じてユーザへの警告などの処理を実行する。
【００５２】
ステップＳ１５において、姿勢監視部８１は、無線通信端末１０の傾きを判定する。姿勢監視部８１は、ディスプレイの四辺のいずれがユーザにとって手前であるかに応じて、無線通信端末１０の傾きを４パターンに分類している。この４パターンは、ディスプレイが縦長の状態の２パターンと、ディスプレイが横長の状態の２パターンに分類され、傾向データ７１の端末姿勢７６に示される「第１の横長」「第２の横長」「第１の縦長」「第２の縦長」と対応している。姿勢監視部８１は、無線通信端末１０の傾きがこの４パターンのいずれであるか、またはいずれのパターンであるか検出不能の５通りの判定結果を出力する。
【００５３】
ステップＳ１７において、制御部８０は、姿勢監視部８１が無線通信端末１０の傾きを検出したか判定する。すなわち、制御部８０は、姿勢監視部８１による無線通信端末１０の傾きの判定結果が「検出不能」か否か判定し、「検出不能」の場合（ステップＳ１７：ＮＯ）、ステップＳ１１の処理を実行する。制御部８０は、姿勢監視部８１が無線通信端末１０の傾きを「検出不能」ではないと判定している場合（ステップＳ１７：ＹＥＳ）、ステップＳ１８の処理を実行する。
【００５４】
ステップＳ１８において、制御部８０は、無線通信端末１０の動作モードを判定し、動作モードと、ステップＳ１５の処理における姿勢監視部８１の判定結果に基づいて、傾向データ７１から第１の補正値を読み出すとともに、姿勢監視部８１の判定結果に示される無線通信端末１０の傾きと対になる第２の補正値を読み出す。制御部８０の温度算出部８２は、実行中のアプリケーションの種類等に基づいて動作モードを判定する。第１の補正値は、無線通信端末１０の現在の傾きにおいてユーザが手や指に触れる位置の温度（温度Ｐ）の算出に使用される。第２の補正値は、仮にユーザが、ディスプレイの縦長または横長の状態を維持したまま無線通信端末１０を半回転させて持ち換えた場合にユーザが手や指に触れる位置の温度（温度Ｑ）の算出に使用される。無線通信端末１０の傾きは、「第１の横長」と「第２の横長」とが対になっており、同様に「第１の縦長」と「第２の縦長」とが対になっている。例えば、温度算出部８２は、姿勢監視部８１の判定結果が「第１の縦長」である場合、傾向データ７１を参照し、動作モードに対応した「第１の縦長」の補正値（第１の補正値）を、温度Ｐの算出のために読み出すとともに、動作モードに対応した「第２の縦長」の補正値（第２の補正値）を、温度Ｑの算出のために読み出す。温度算出部８２は、読み出した第１および第２の補正値に基づいて、温度Ｐおよび温度Ｑを算出する。
【００５５】
ステップＳ１９において、制御部８０は、温度Ｐが、予め定めた閾値（警告閾値１）を超えるか否かを判定する。この閾値は、ユーザに温度の上昇を警告するために設定されている。例えば、無線通信端末１０は、ユーザが発熱を感じない温度の上限温度付近を閾値として保持することとしてもよい。制御部８０は、温度Ｐが閾値を超えないと判定した場合（ステップＳ１９：ＮＯ）、ステップＳ１１の処理を実行する。制御部８０は、温度Ｐが閾値を越えると判定した場合（ステップＳ１９：ＹＥＳ）、ステップＳ２１の処理を実行する。
【００５６】
ステップＳ２１において、制御部８０は、温度Ｑが、予め定めた閾値を越えるか判定する。この閾値は、温度Ｐに対する閾値と異なるものとしてもよい。すなわち、仮にユーザが無線通信端末１０を持ち換えた場合にユーザが手や指に触れる位置の無線通信端末１０の温度が、ユーザに警告すべき温度を超えているか判定する。制御部８０は、温度Ｑが予め定めた閾値を越えないと判定した場合（ステップＳ２１：ＮＯ）、ステップＳ２３の処理を実行する。制御部８０は、温度Ｑが予め定めた閾値を越える場合（ステップＳ２１：ＹＥＳ）、ステップＳ２７の処理を実行し、充電動作を停止する、バックライトの輝度を下げる等、無線通信端末１０の機能を制限することで無線通信端末１０の発熱を抑止する（ステップＳ２７）。
【００５７】
ステップＳ２３において、制御部８０は、温度Ｐと温度Ｑとを比較し、いずれの温度が大きいか判定する。制御部８０は、温度Ｐが温度Ｑよりも大きくないと判定すると（ステップＳ２３：ＮＯ）、ステップＳ１１の処理を実行する。すなわち、制御部８０は、ユーザが無線通信端末１０を持ち換えない場合の方が、無線通信端末１０を持ち換える場合と比べてユーザが手や指を接触させる位置の温度が低い場合、ステップＳ１１の処理を実行する。制御部８０は、温度Ｐが温度Ｑよりも大きいと判定すると（ステップＳ２３：ＹＥＳ）、ステップＳ２５の処理を実行する。
【００５８】
ステップＳ２５において、制御部８０は、無線通信端末１０の温度が上昇している旨をユーザに通知するため、警告文を表示部６０に表示させる。
【００５９】
上記の処理によって、無線通信端末１０は、無線通信端末１０の温度の上昇と、無線通信端末１０の傾きとを監視し、無線通信端末１０の温度が上昇した場合に、ユーザに対し無線通信端末１０の持ち換えを促す表示をすることができる。無線通信端末１０は、無線通信端末１０の傾きと、動作モードとに応じて、ユーザが手や指を接触させる位置の温度上昇傾向を傾向データ７１としてメモリに記憶する。この傾向データ７１に基づいて、温度が高い箇所にユーザが手や指を接触させていると推定される場合に、無線通信端末１０は、無線通信端末１０を上下逆さまに持ち直す等の方法で無線通信端末１０を持ち換えるようユーザに促す。
【００６０】
図５は、温度の上昇をユーザに警告するための注意文の表示例を示す図である。図５（Ａ）は、ディスプレイが縦長の状態で、ユーザが無線通信端末１０を持ち換える例を示す。図５（Ｂ）は、ディスプレイが横長の状態で、ユーザが無線通信端末１０を持ち換える例を示す。
【００６１】
図５（Ａ）に示すように、無線通信端末１０は、ディスプレイが縦長の状態で、ユーザが無線通信端末１０のディスプレイや筺体背面に手や指を触れる機会が多い第１の領域９２の温度が閾値を越えており（ステップＳ１９：ＹＥＳ）、ユーザがディスプレイや筺体背面に手や指を触れる機会が少ない第２の領域９１の温度が閾値を越えていない（ステップＳ２１：ＮＯ）と判定した場合、警告文９０を表示部６０に表示する（ステップＳ２５）。その後、ユーザが無線通信端末１０を持ち換えると、センサ部３０の各センサの検出結果に応じてディスプレイの表示内容が回転する。また、温度が閾値を越えている第１の領域９２が無線通信端末１０の上部に位置し、温度が閾値を超えていない第２の領域９１が無線通信端末１０の下部に位置することとなる。
【００６２】
図５（Ｂ）に示すように、無線通信端末１０は、ディスプレイが横長の状態でユーザが指を触れる機会が多い第１の領域９３の温度が閾値を越えており（ステップＳ１９：ＹＥＳ）、ユーザが指を触れる機会が少ない第２の領域９４の温度が閾値を越えていない（ステップＳ２１：ＮＯ）と判定した場合、警告文９０を表示部６０に表示する（ステップＳ２５）。その後、ユーザが無線通信端末１０を持ち換えると、センサ部３０の各センサの検出結果に応じてディスプレイの表示内容が回転する。また、温度が閾値を越えている第１の領域９３が無線通信端末１０の上部に位置し、温度が閾値を超えていない第２の領域９４が無線通信端末１０の下部に位置することとなる。
【００６３】
そのため、ユーザは、無線通信端末１０の温度上昇による不快感等を感じることなく無線通信端末１０を操作することができる。
【００６４】
＜変形例＞
上記実施形態の無線通信端末１０を、以下のように変形することもできる。
【００６５】
上記ステップＳ２５の処理において、制御部８０は、無線通信端末１０の温度が上昇している旨、ユーザに通知するため警告文を表示部６０に表示させることとしているが、表示部６０の表示内容を、強制的に１８０度回転させて表示することで、ユーザに対し無線通信端末１０の持ち換えを促すこととしてもよい。なお、温度上昇時に強制的に表示内容を回転させるか否か、ユーザが設定可能としてもよい。
【００６６】
また、制御部８０は、ユーザに対し無線通信端末１０の持ち替えを促すため、表示部６０に警告文を表示する等としているが、表示部６０によるユーザへの通知の他に、無線通信端末１０が音や振動を発することで、ユーザに通知することとしてもよい。
【００６７】
また、無線通信端末１０は、ユーザが持ち替えた場合のユーザの接触位置の温度低下に寄与するように、無線通信端末１０の動作内容に影響しない回路の動作を制限してもよい。例えば、図５（Ａ）の場合、制御部８０は、ユーザが手や指を触れる機会が多い第１の領域９２の温度が上昇しつつある場合、第２の領域９１の温度が所定の閾値を超えないよう、動作内容に影響しない回路の動作を制限する。例えば、制御部８０は、複数備える通信モジュールのうち、通信に使用していない通信モジュールの動作を停止する等によって回路の動作を制限する。
【００６８】
姿勢監視部８１は、無線通信端末１０が充電台と接続されている場合は、無線通信端末１０の傾きを、ディスプレイが横長の状態となっていると判定する。この場合、無線通信端末１０が充電台と接続されているため、充電台と接続したままではユーザが無線通信端末１０を持ち換えて無線通信端末１０を操作することが困難な場合もある。そこで、ステップＳ２５の処理において、無線通信端末１０の温度の上昇をユーザに通知するための警告文を表示部６０に表示させる際に、無線通信端末１０の持ち換えを推奨するとともに、充電台によらない電源ケーブル等の接続による充電方法を提案する表示をしてもよい。
【００６９】
以上のように実施の形態の無線通信端末１０について具体的に説明した。ユーザが無線通信端末１０の温度の高い部分に触れることは、無線通信端末１０の使用上の不快感につながるおそれがある。そこで、本実施形態の無線通信端末１０は、ユーザが無線通信端末１０を操作するため無線通信端末１０に触れていても、無線通信端末１０の発熱による熱さを感じることがない機能を提供する。従来の無線通信端末は、発熱を抑止するために、無線通信端末の動作時の性能を低下させて消費電流を下げている。これに対し、本実施形態の無線通信端末１０は、無線通信端末１０の温度が高い場所にユーザが触れる機会を少なくすることができる。具体的には、無線通信端末１０は、ユーザが無線通信端末１０の発熱を熱く感じる前に、ユーザに対し、無線通信端末１０の持ち換えを促す通知をすることができる。ユーザは、無線通信端末１０の持ち換えを行うことで、無線通信端末１０の利用時の不快感を抑えることができる。
【００７０】
以上、本発明者によってなされた発明を実施の形態に基づき具体的に説明したが、本発明は前記実施の形態に限定されるものではなく、その要旨を逸脱しない範囲で種々変更可能であることはいうまでもない。今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００７１】
１０  無線通信端末、１１  アンテナ、２０  無線ＲＦ部、３０  センサ部、３１  加速度センサ、３２  ジャイロセンサ、４０  充電台検出部、４１  装着口、５０  温度測定部、５１  温度センサ、６０  表示部、７０  記憶部、７１  傾向データ、７５  動作モード、７６  端末姿勢、７７  補正値、８０  制御部、８１  姿勢監視部、８２  表示制御部、９０  警告文。
【図１】
2014050013.tif 000003
【図２】
2014050013.tif 000004
【図３】
2014050013.tif 000005
【図４】
2014050013.tif 000006
【図５】
2014050013.tif 000007